【手続補正書】
【提出日】平成18年5月31日(2006.5.31)
【手続補正１】
【補正対象書類名】特許請求の範囲
【補正対象項目名】全文
【補正方法】変更
【補正の内容】
【特許請求の範囲】
【請求項１】
胸部組立体から生理学的データを取得し、上記生理学的データを基地局に無線で送信し、上記基地局が上記生理学的データをモニタに送信する複数の端子を有する、身体用電子ユニットを含むデータを送信するシステム。
【請求項２】
上記胸部組立体の少なくとも一方の側に位置する接着剤を更に含む、請求項１記載のシステム。
【請求項３】
上記接着剤が等方性導電性特性を有するポリマー含む、請求項２記載のシステム。
【請求項４】
上記接着剤が異方性導電性特性を有するポリマー含む、請求項２記載のシステム。
【請求項５】
上記接着剤が等方性導電性特性および異方性導電性特性を有するポリマー含む、請求項２記載のシステム。
【請求項６】
少なくとも一つの電極コネクタが上記胸部組立体と上記接着剤との間に位置決めされる、請求項２記載のシステム。
【請求項７】
少なくとも一つの電極導体が上記胸部組立体と上記接着剤との間に位置決めされる、請求項２記載のシステム。
【請求項８】
上記接着剤が上記胸部組立体の少なくとも一方の側を部分的に覆う接着シートである、請求項２記載のシステム。
【請求項９】
上記接着剤が上記胸部組立体の少なくとも一方の側を完全に覆う接着シートである、請求項２記載のシステム。
【請求項１０】
少なくとも一つの電極を更に含み、上記接着剤が患者と接触するよう構成される上記少なくとも一つの電極の側に位置する、請求項２記載のシステム。
【請求項１１】
電極に接続するよう構成される少なくとも第１の電極コネクタおよび第２の電極コネクタを含む胸部組立体と、
上記胸部組立体から生理学的データを取得し、上記生理学的データを無線で送信する身体用電子ユニットと、
上記身体用電子ユニットから送信される上記生理学的データを受信する基地局であって、上記生理学的データをモニタに送信する複数の端子を含む基地局とを含む、データを送信するシステム。
【請求項１２】
上記身体用電子ユニットが、
電気信号を生成する電流源、
上記電流源に接続され、上記胸部組立体に結合される２つの電極にわたって上記電気信号の電圧振幅を測定するよう構成される電流源検出組立体を含む、請求項１１記載のシステム。
【請求項１３】
上記電気信号が正弦波信号である、請求項１２記載のシステム。
【請求項１４】
上記電流源検出組立体が上記胸部組立体に結合される２つの電極にわたって測定される上記電圧振幅からの呼吸インピーダンス信号を処理する検出増幅器および復調器を含む、請求項１２記載のシステム。
【請求項１５】
上記身体用電子ユニットが上記呼吸インピーダンス信号を上記基地局に送信する、請求項１４記載のシステム。
【請求項１６】
上記身体用電子ユニットが第１の電極を通り、患者を通って第２の電極を通って戻る電気信号を出力する電流源を含み、上記システムが上記第１のおよび第２の電極にわたって上記電気信号の電圧振幅を測定することで上記患者の呼吸速度を検出することができる、請求項１１記載のシステム。
【請求項１７】
上記生理学的データが患者の呼吸速度および心臓活動に対応する、請求項１１記載のシステム。
【請求項１８】
上記生理学的データが双方向通信についてブルートゥース仕様に従って上記身体用電子ユニットから送信される、請求項１１記載のシステム。
【請求項１９】
上記生理学的信号が、脈拍データ、呼吸速度データ、心拍データ、体温データ、血圧データ、ＥＥＧ信号データ、およびパルスオキシメータ信号データよりなる群から選択される情報に関わる、請求項１１記載のシステム。
【請求項２０】
上記身体用電子ユニットが非生理学的データを上記基地局に送信するよう構成される、請求項１１記載のシステム。
【請求項２１】
上記基地局が非生理学的信号を上記身体用電子ユニットに送信するよう構成される、請求項１１記載のシステム。
【請求項２２】
上記生理学的データが患者の呼吸速度および心臓活動に対応し、上記非生理学的データがペースメーカパルスデータに対応する、請求項２０記載のシステム。
【請求項２３】
電極に接続されるよう構成される第１の電極コネクタおよび第２の電極コネクタを含む胸部組立体と、
上記胸部組立体から生理学的データを取得し、上記生理学的データを無線で送信する身体用電子ユニットと、
上記身体用電子ユニットから送信される上記生理学的データを受信する複数の基地局であって、それぞれ上記生理学的データをモニタに送信する複数の端子を含む基地局とを含む、データを送信するシステム。
【請求項２４】
上記生理学的データが双方向通信についてブルートゥース仕様に従って上記身体用電子ユニットから上記複数の基地局に送信される、請求項２３記載のシステム。
【請求項２５】
上記生理学的データが患者の呼吸速度および心臓活動に対応する、請求項２３記載のシステム。
【請求項２６】
上記生理学的信号が、脈拍データ、呼吸速度データ、心拍データ、体温データ、血圧データ、ＥＥＧ信号データ、およびパルスオキシメータ信号データよりなる群から選択される情報に関わる、請求項２３記載のシステム。
【請求項２７】
上記身体用電子ユニットが非生理学的データを各基地局に送信するよう構成される、請求項２３記載のシステム。
【請求項２８】
上記生理学的データが患者の呼吸速度および心臓活動に対応し、上記非生理学的データがペースメーカパルスデータに対応する請求項２７記載のシステム。
【請求項２９】
各基地局が非生理学的信号を上記身体用電子ユニットに送信するよう構成される、請求項２３記載のシステム。
【請求項３０】
上記身体用電子ユニットが第１の基地局に生理学的データを連続的に送信し、第２の基地局に生理学的データを一時的に送信するよう構成される、請求項２３記載のシステム。
【請求項３１】
第１の側および第２の側を有し、上記第１の側が複数の導電性素子に取り付けられ、上記導電性素子が電極に接続されるよう構成される基層であって、第１の絶縁層と第２の絶縁層との間に位置決めされる基層を含むデータを収集する胸部組立体。
【請求項３２】
遮蔽層を更に有する請求項３１記載の胸部組立体。
【請求項３３】
胸部組立体からデータを取得して基地局に無線で送信し、上記胸部組立体が電極導体に接続される複数の導電性素子を有し、各電極導体が接着剤を介して電極に接続されるよう構成される、身体用電子ユニットを有する、データを送信するシステム。
【請求項３４】
上記接着剤が等方性導電性特性を有するポリマーを含む、請求項３３記載のシステム。
【請求項３５】
上記接着剤が異方性導電性特性を有するポリマーを含む、請求項３３記載のシステム。
【請求項３６】
上記接着剤が等方性導電性特性および異方性導電性特性を有するポリマーを含む、請求項３３記載のシステム。
【請求項３７】
各電極導体が電極と接触するよう略平坦な伝導表面を有する、請求項３３記載のシステム。
【請求項３８】
複数の電極筺体を更に有し、各電極筺体が上記胸部組立体に形成されるアパーチャ上に位置決めされ電極のある部分を受容する雌空隙を画成するエラストマー部分を備える、請求項３１記載の胸部組立体。
【請求項３９】
上記アパーチャが上記アパーチャを通って位置決めされる電極と係合する少なくとも一つのフラップを形成する、請求項３８記載の胸部組立体。
【請求項４０】
複数の電極筺体を更に含み、各電極筺体が上記胸部組立体に形成されるアパーチャ上に位置決めされ、電極に接続されるよう構成される伝導性部材を受容する雌空隙を画成するエラストマー部分を備える、請求項３１記載の胸部組立体。
【請求項４１】
上記アパーチャが上記アパーチャを通って位置決めされる電極と係合する少なくとも一つのフラップを形成する、請求項４０記載の胸部組立体。
【請求項４２】
複数の電極筺体を更に含み、各電極筺体が上記胸部組立体に形成されるアパーチャ上に位置決めされ、電極に接続されるよう構成される雄伝導性コネクタを含む、請求項３１記載の胸部組立体。
【請求項４３】
上記アパーチャが上記アパーチャを通って位置決めされる電極と係合する少なくとも一つのフラップを形成する、請求項４２記載の胸部組立体。
【請求項４４】
上記胸部組立体が上記生理学的データを上記基地局に送信する前に上記身体用電子ユニットと上記基地局が対にされる、請求項１記載のシステム。
【請求項４５】
上記身体用電子ユニットおよび上記基地局で使用されるよう構成される少なくとも一つの電池を更に含む、請求項１記載のシステム。
【請求項４６】
上記第１の電池と交換可能に構成される第２の電池を更に有する請求項４５記載のシステム。
【請求項４７】
上記電池が上記電池の充電をモニタリングする表示器を備える、請求項４５記載のシステム。
【請求項４８】
上記電極が伝導性接着剤である、請求項１１記載のシステム。
【請求項４９】
上記基地局が上記モニタ内に含まれる、請求項１記載のシステム。
【請求項５０】
上記身体用電子ユニットが上記胸部組立体を受容するポート、および、除細動保護のために上記ポートに接続される少なくとも一つの抵抗器を含む、請求項１記載のシステム。
【請求項５１】
故障状態が検出されると、アラーム信号が上記身体用電子ユニットから上記基地局に送信される、請求項１記載のシステム。
【請求項５２】
故障状態が検出されると、アラーム信号が上記基地局から上記身体用電子ユニットに送信される、請求項１記載のシステム。